(57)【特許請求の範囲】
【請求項１】
ボディーと、
前記ボディーの内部を二つの空間に区画するように構成された隔壁と、
前記隔壁の下部に位置し、水が流入する流入部を備えた第１チャンバーと、
前記隔壁の上部に位置し、水が排出される排出部を備えた第２チャンバーと、
前記隔壁に備えられ、前記第１チャンバー及び前記第２チャンバーを連通させる連通ホールと、
前記第２チャンバーに備えられ、水を前記排出部に移動させるインペラーと、
導体から構成され、前記第１チャンバーの底面をなすハウジングと、
前記ハウジングを加熱するように構成されたヒーターと、
前記第１チャンバーに貫設され、前記ハウジングが前記ヒーターにより加熱された時、前記ハウジングにより生成されたスチームが排出されるスチーム排出口と、を含む、ポンプ。
【請求項２】
前記隔壁から前記ハウジングに向かって延長するガイドを更に含み、
前記ガイドは前記ハウジングに接触しない自由端を有し、前記ガイドは、前記第１チャンバーの内部水位が前記ガイドの自由端より高い時、前記第１チャンバーの内部空間を、前記スチーム排出口が位置する第１領域と、前記スチーム排出口が位置しない第２領域に区画する、請求項１に記載のポンプ。
【請求項３】
前記第１領域の容積は、前記第２領域の容積より大きい、請求項２に記載のポンプ。
【請求項４】
前記ヒーターは、前記第１領域の中の液体を加熱するように構成された前記ヒーターの部分の発熱量が前記第２領域の中の液体を加熱するように構成された前記ヒーターの部分の発熱量より大きくなるように構成される、請求項２に記載のポンプ。
【請求項５】
前記ヒーターは、Ｃ字状を有するように構成され、前記第１領域の中の液体を加熱するように構成された前記ヒーターの部分の長さが前記第２領域の中の液体を加熱するように構成された前記ヒーターの部分の長さより長い、請求項２に記載のポンプ。
【請求項６】
前記ガイドは、前記ガイドの自由端が前記ハウジングに接触しないように前記隔壁から前記ハウジングに向かって突出する、請求項２に記載のポンプ。
【請求項７】
前記ガイドは、
前記第１チャンバーの内部水位が前記ガイドの自由端より高い時、前記第１領域となる領域に位置し、前記連通ホールの外周面の一部を取り囲むように構成されたベースと、
前記ベースの一端及び前記第１チャンバーの内周面を連結し、前記第１領域及び前記第２領域を互いに区画する第１プレートと、
前記ベースの他端及び前記第１チャンバーの内周面を連結し、前記第１領域及び前記第２領域を互いに区画する第２プレートと、を含む、請求項２に記載のポンプ。
【請求項８】
前記流入部は、前記第１領域に位置する、請求項７に記載のポンプ。
【請求項９】
前記ガイドは、
前記第１チャンバーの内部水位が前記ガイドの自由端より高い時、前記第２領域となる領域に位置し、前記連通ホールの外周面の一部を取り囲むように構成された第１ベースと、
前記第１ベースの一端及び前記第１チャンバーの内周面を連結し、前記第１領域及び前記第２領域を互いに区画する第１プレートと、
前記第１ベースの他端及び前記第１チャンバーの内周面を連結し、前記第１領域及び前記第２領域を互いに区画する第２プレートと、を含む、請求項２に記載のポンプ。
【請求項１０】
前記流入部は、前記第２領域に位置する、請求項９に記載のポンプ。
【請求項１１】
前記ハウジングは、前記ボディーに着脱可能に装着される、請求項１に記載のポンプ。
【請求項１２】
前記第１チャンバーの内部の流体が外部に排出されることは許すが、前記第１チャンバーに流体が流入することは遮断するために、前記スチーム排出口に備えられるバルブをさらに含む、請求項１〜１１のいずれか一項に記載のポンプ。
【請求項１３】
前記ヒーター、前記ハウジング、前記第１チャンバー、及び前記第２チャンバーが垂直に配置されるように、前記ヒーター、前記ハウジング、前記第１チャンバー、及び前記第２チャンバーは、前記ボディーの高さ方向に順次積層される、請求項１〜１１のいずれか一項に記載のポンプ。
【請求項１４】
洗浄対象を収容するタブと、
洗浄対象に洗浄水を噴射する噴射アームと、
前記タブにスチームを供給するスチーム供給部と、
洗浄水を貯蔵するサンプと、
前記サンプに貯蔵された洗浄水を前記噴射アームに供給するポンプと、を含み、
前記ポンプは、
ボディーと、
前記ボディーの内部を二つの空間に区画するように構成された隔壁と、
前記隔壁の下部に位置し、前記サンプに連通する流入部を備えた第１チャンバーと、
前記隔壁の上部に位置し、前記噴射アームに連通する排出部を備えた第２チャンバーと、
前記隔壁に備えられ、前記第１チャンバー及び前記第２チャンバーを連通させる連通ホールと、
前記第２チャンバーに備えられ、洗浄水を前記排出部に移動させるインペラーと、
導体から構成され、前記第１チャンバーの底面をなすハウジングと、
前記ハウジングを加熱するように構成されたヒーターと、
前記第１チャンバー及び前記スチーム供給部を連通させるスチーム排出口と、を含み、
前記ハウジングが前記ヒーターで加熱された時、前記ハウジングで生成されたスチームは、前記スチーム排出口と前記スチーム供給部により前記タブに供給される、食洗機。
【請求項１５】
前記隔壁から前記ハウジングへ延長するように構成されたガイドを更に含み、
前記ガイドは前記ハウジングに接触しない自由端を有し、前記ガイドは、前記第１チャンバーの内部水位が前記ガイドの自由端より高い時、前記第１チャンバーの内部空間を、前記スチーム排出口が位置する第１領域と、前記スチーム排出口が位置しない第２領域に区画する、請求項１４に記載の食洗機。
【請求項１６】
前記第１領域の容積は、前記第２領域の容積より大きい、請求項１５に記載の食洗機。
【請求項１７】
前記ヒーターは、前記第１領域の中の液体を加熱するように構成された前記ヒーターの部分の発熱量が前記第２領域の中の液体を加熱するように構成された前記ヒーターの部分の発熱量より大きくなるように構成される、請求項１５に記載の食洗機。
【請求項１８】
前記第１チャンバーの内部水位が前記ガイドの自由端より高い時、前記流入部は、前記第１領域となる領域に位置し、
前記ガイドは、
前記第１チャンバーの内部水位が前記ガイドの自由端より高い時、前記第１領域となる領域に位置し、前記連通ホールの外周面の一部を取り囲むように構成されたベースと、
前記ベースの一端及び前記第１チャンバーの内周面を連結し、前記第１領域及び前記第２領域を互いに区画する第１プレートと、
前記ベースの他端及び前記第１チャンバーの内周面を連結し、前記第１領域及び前記第２領域を互いに区画する第２プレートと、を含む、請求項１５に記載の食洗機。
【請求項１９】
前記第１チャンバーの内部水位が前記ガイドの自由端より高い時、前記流入部は、前記第２領域となる領域に位置し、
前記ガイドは、
前記第１チャンバーの内部水位が前記ガイドの自由端より高い時、前記第２領域となる領域に位置し、前記連通ホールの外周面の一部を取り囲むように構成された第１ベースと、
前記第１ベースの一端及び前記第１チャンバーの内周面を連結し、前記第１領域及び前記第２領域を区画する第１プレートと、
前記第１ベースの他端及び前記第１チャンバーの内周面を連結し、前記第１領域及び前記第２領域を区画する第２プレートと、を含む、請求項１５に記載の食洗機。
【請求項２０】
前記第１領域に位置し、前記連通ホールの外周面を取り囲み、前記第１ベースの一端及び前記第１ベースの他端を連結する第２ベースをさらに含み、
前記隔壁から前記第２ベースの自由端までの距離は、前記隔壁から第１ベースの自由端までの距離より短い、請求項１９に記載の食洗機。
【請求項２１】
前記ハウジングは、前記ボディーに着脱可能に装着される、請求項１４に記載の食洗機。
【請求項２２】
前記第１チャンバーの内部の流体が外部に排出されることは許すが、前記第１チャンバーに流体が流入することは遮断するために、前記スチーム排出口及び前記スチーム供給部の少なくとも一方に備えられるバルブをさらに含む、請求項１４〜２１のいずれか一項に記載の食洗機。
【請求項２３】
前記ヒーター、前記ハウジング、前記第１チャンバー、及び前記第２チャンバーが垂直に配置されるように、前記ヒーター、前記ハウジング、前記第１チャンバー、及び前記第２チャンバーは、前記ポンプの高さ方向に順次積層される、請求項１４〜２１のいずれか一項に記載の食洗機。
【発明の詳細な説明】
【技術分野】
【０００１】
本発明はポンプ及びそのポンプを備えた食洗機に関する。
【背景技術】
【０００２】
食洗機は洗浄対象に洗浄水を噴射して、洗浄対象に残留する異物を除去する家電機器である。
【０００３】
従来の食洗機は、洗浄空間を規定するタブ、前記タブ内に設けられ、洗浄対象を収容するラック、前記ラックに洗浄水を噴射する噴射アーム、洗浄水を貯蔵するサンプ、及び前記サンプに貯蔵された洗浄水を前記噴射アームに供給するポンプを含むことが一般的である。
【０００４】
一方、従来の食洗機のうちには、加熱された洗浄水（温水）を用いて洗浄対象を洗浄するかあるいは洗浄対象にスチームを供給して洗浄対象の洗浄や殺菌を可能にするものがあった。
【０００５】
温水を用いる食洗機は、サンプの内部に備えられたヒーターでサンプに貯蔵された洗浄水を加熱して温水を発生させることが一般的であった。
【０００６】
この場合、ヒーターはサンプの内部に露出して洗浄水に接触するしかなかったため、従来の食洗機は、ヒーターの過熱を防止するために、ヒーターが露出しないようにサンプの内部水位を制御しなければならない欠点があった。
【０００７】
また、ヒーターが洗浄水に接触しなければ熱伝逹ができなかったため、ヒーターの表面に異物が付着して熱交換効率が低下する問題やヒーターの表面が腐食して耐久性が低下する問題があった。
【０００８】
一方、スチームを用いる食洗機は、サンプの内部に備えられたヒーターでスチームを発生させる場合と別個のスチーム発生器を備えてスチームを発生させる場合とに区分されていた。
【０００９】
サンプの内部に備えられたヒーターでスチームを発生させる食洗機は、サンプの内部に備えられたヒーターで温水を発生させる食器洗浄と同様の問題がある。
【００１０】
一方、スチーム発生器が水を貯蔵する貯蔵部、及び前記貯蔵部の内部に備えられて水を加熱するヒーターを備える場合、別個のスチーム発生器でスチームを発生させる食洗機もサンプの内部に備えられたヒーターで温水を発生させる食器洗浄と同様な問題がある。
【発明の概要】
【発明が解決しようとする課題】
【００１１】
本発明は、従来技術の限界及び欠点による一つ以上の問題点を除去するポンプ及びそのポンプを備えた食洗機に関する。
【００１２】
本発明の目的は、洗浄水を加熱する機能と洗浄水を循環させる機能を同時に遂行することができるポンプ及びそのポンプを備えた食洗機を提供することである。
【００１３】
本発明の他の目的は、ヒーターと洗浄水の間の熱交換が容易な構造を有するように構成されたポンプ及びそのポンプを備えた食洗機を提供することである。
【００１４】
本発明の他の目的は、洗浄水の水位調節なしにヒーターの過熱を防止することができるポンプ及びそのポンプを備えた食洗機を提供することである。
【００１５】
本発明の他の目的は、温水やスチームを発生させるために供給される洗浄水の量を最少化することができるポンプ及びそのポンプを備えた食洗機を提供することである。
【００１６】
本発明の他の目的は、洗浄水を加熱するヒーターの効率低下及び耐久性低下を防止することができるポンプ及びそのポンプを備えた食洗機を提供することである。
【００１７】
本発明のさらに他の目的は、着脱可能なヒーターを備えたポンプ及びそのポンプを備えた食洗機を提供することである。
【００１８】
本発明の更なる利点、目的及び特徴は以降の説明にある程度開示されるとともに以降の説明の検証時に当業者にある程度明らかになるか、あるいは本発明の実行によって分かる。本発明の前記目的及び他の利点は明細書及びその請求範囲と添付図面で具体的に指摘する構造によって実現及び達成可能である。
【課題を解決するための手段】
【００１９】
ここで具現されるとともに広く説明されるような前記目的及び他の利点を達成するために、かつ本発明の目的にしたがって、ポンプは、ボディーと、前記ボディーの内部を二つの空間に区画するように構成された隔壁と、前記隔壁の下部に位置し、水が流入する流入部を備えた第１チャンバーと、前記隔壁の上部に位置し、水が排出される排出部を備えた第２チャンバーと、前記隔壁に備えられ、前記第１チャンバー及び前記第２チャンバーを連通させる連通ホールと、前記第２チャンバーに備えられ、水を前記排出部に移動させるインペラーと、導体から構成され、前記第１チャンバーの底面をなすハウジングと、前記ハウジングを加熱するように構成されたヒーターと、前記第１チャンバーに貫設され、スチームが排出されるスチーム排出口とを含む。
【００２０】
前記ポンプは、前記第１チャンバーの内部水位によって、前記第１チャンバーの内部空間を、前記スチーム排出口が位置する第１領域及び前記スチーム排出口が位置しない第２領域に区画するガイドをさらに含むことができる。
【００２１】
前記第１領域の容積は、前記第２領域の容積より大きくてもよい。
【００２２】
前記ヒーターは、前記第１領域に位置する液体を加熱する部分の発熱量が前記第２領域に位置する液体を加熱する部分の発熱量より大きくなるように構成されることができる。
【００２３】
前記ヒーターは、前記第１領域に位置する液体を加熱する部分の長さが前記第２領域に位置する液体を加熱する部分の長さより長くなるように構成されることができる。
【００２４】
前記ガイドは、前記ガイドの自由端が前記ハウジングに接触しないように前記隔壁から前記ハウジングに向かって突出することができる。
【００２５】
前記ガイドは、前記第１領域に位置し、前記連通ホールの外周面の一部を取り囲むベースと、前記ベースの一端及び前記第１チャンバーの内周面を連結し、前記第１領域及び前記第２領域を互いに区画する第１プレートと、前記ベースの他端及び前記第１チャンバーの内周面を連結し、前記第１領域及び前記第２領域を互いに区画する第２プレートとを含むことができる。
【００２６】
前記流入部は、前記第１領域に位置することができる。
【００２７】
前記ガイドは、前記第２領域に位置し、前記連通ホールの外周面の一部を取り囲む第１ベースと、前記第１ベースの一端及び前記第１チャンバーの内周面を連結し、前記第１領域及び前記第２領域を互いに区画する第１プレートと、前記第１ベースの他端及び前記第１チャンバーの内周面を連結し、前記第１領域及び前記第２領域を互いに区画する第２プレートとを含むことができる。
【００２８】
前記流入部は、前記第２領域に位置することができる。
【００２９】
前記ハウジングは、前記ボディーに着脱可能に装着されることができる。
【００３０】
前記ポンプは、前記第１チャンバーの内部の流体が外部に排出されることは許すが、前記第１チャンバーに流体が流入することは遮断するために、前記スチーム排出口に備えられるバルブをさらに含むことができる。
【００３１】
前記ヒーター、前記ハウジング、前記第１チャンバー、及び前記第２チャンバーは、前記ボディーの高さ方向に順次積層されて垂直配置関係をなすことができる。
【００３２】
本発明の他の態様において、食洗機は、洗浄対象を収容するタブと、洗浄対象に洗浄水を噴射する噴射アームと、前記タブにスチームを供給するスチーム供給部と、洗浄水を貯蔵するサンプと、前記サンプに貯蔵された洗浄水を前記噴射アームに供給するポンプとを含み、前記ポンプは、ボディーと、前記ボディーの内部を二つの空間に区画するように構成された隔壁と、前記隔壁の下部に位置し、前記サンプに連通する流入部を備えた第１チャンバーと、前記隔壁の上部に位置し、前記噴射アームに連通する排出部を備えた第２チャンバーと、前記隔壁に備えられ、前記第１チャンバー及び前記第２チャンバーを連通させる連通ホールと、前記第２チャンバーに備えられ、洗浄水を前記排出部に移動させるインペラーと、導体から構成され、前記第１チャンバーの底面をなすハウジングと、前記ハウジングを加熱するように構成されたヒーターと、前記第１チャンバー及び前記スチーム供給部を連通させるスチーム排出口とを含む。
【００３３】
前記食洗機は、前記第１チャンバーの内部水位によって、前記第１チャンバーの内部空間を、前記スチーム排出口が位置する第１領域及び前記スチーム排出口が位置しない第２領域に区画するガイドをさらに含むことができる。
【００３４】
前記第１領域の容積は、前記第２領域の容積より大きくてもよい。
【００３５】
前記ヒーターは、前記第１領域に位置する液体を加熱する部分の発熱量が前記第２領域に位置する液体を加熱する部分の発熱量より大きくなるように構成されることができる。
【００３６】
前記流入部は、前記第１領域に位置することができ、前記ガイドは、前記第１領域に位置し、前記連通ホールの外周面の一部を取り囲むベースと、前記ベースの一端及び前記第１チャンバーの内周面を連結し、前記第１領域及び前記第２領域を互いに区画する第１プレートと、前記ベースの他端及び前記第１チャンバーの内周面を連結し、前記第１領域と前記第２領域を互いに区画する第２プレートとを含むことができる。
【００３７】
前記流入部は、前記第２領域に位置することができ、前記ガイドは、前記第２領域に位置し、前記連通ホールの外周面の一部を取り囲む第１ベースと、前記第１ベースの一端及び前記第１チャンバーの内周面を連結し、前記第１領域及び前記第２領域を区画する第１プレートと、前記第１ベースの他端及び前記第１チャンバーの内周面を連結し、前記第１領域及び前記第２領域を区画する第２プレートとを含むことができる。
【００３８】
前記食洗機は、前記第１領域に位置し、前記連通ホールの外周面を取り囲み、前記第１ベースの一端及び前記第１ベースの他端を連結する第２ベースをさらに含むことができ、前記隔壁から前記第２ベースの自由端までの距離は、前記隔壁から第１ベースの自由端までの距離より短い。
【００３９】
前記ハウジングは、前記ボディーに着脱可能に装着されることができる。
【００４０】
前記食洗機は、前記第１チャンバーの内部の流体が外部に排出されることは許すが、前記第１チャンバーに流体が流入することは遮断するために、前記スチーム排出口及び前記スチーム供給部の少なくとも一方に備えられるバルブをさらに含むことができる。
【００４１】
前記ヒーター、前記ハウジング、前記第１チャンバー、前記第２チャンバーは、前記ポンプの高さ方向に順次積層されて垂直配置関係をなすことができる。
【００４２】
本発明の以上の一般的な説明及び以降の詳細な説明はいずれも例示及び説明のためのもので、請求するような本発明の更なる説明を提供しようとするものであることを理解しなければならない。
【発明の効果】
【００４３】
本発明は、洗浄水を加熱する機能と洗浄水を循環させる機能を同時に遂行することができるポンプ及びそのポンプを備えた食洗機を提供する効果を有する。
【００４４】
また、本発明は、ヒーターと洗浄水の間の熱交換が容易な構造を有するように構成されたポンプ及びそのポンプを備えた食洗機を提供する効果を有する。
【００４５】
また、本発明は、洗浄水の水位調節なしにヒーターの過熱を防止することができるポンプ及びそのポンプを備えた食洗機を提供する効果を有する。
【００４６】
また、本発明は、温水やスチームを発生させるために供給される洗浄水の量を最少化することができるポンプ及びそのポンプを備えた食洗機を提供する効果を有する。
【００４７】
また、本発明は、洗浄水を加熱するヒーターの効率低下及び耐久性低下を防止することができるポンプ及びそのポンプを備えた食洗機を提供する効果を有する。
【００４８】
また、本発明は、着脱可能なヒーターを備えたポンプ及びそのポンプを備えた食洗機を提供する効果を有する。
【００４９】
本発明の更なる理解のために本出願に組み込まれて本出願の一部を構成する添付図面は本発明の実施例を例示し、詳細な説明と一緒に本発明の原理を説明する働きをする。
【図面の簡単な説明】
【００５０】
【図１】本発明による食洗機の一例を示す図である。
【図２】本発明によるポンプの一例を示す図である。
【図３】ボディーとヒーターアセンブリーの結合構造の一例を示す図である。
【図４】ポンプに備えられた隔壁の一例を示す図である。
【図５】ポンプに備えられた隔壁の一例を示す図である。
【図６】ポンプに備えられた隔壁の一例を示す図である。
【図７】隔壁の他の実施例を示す図である。
【図８】隔壁の他の実施例を示す図である。
【図９】本発明の他の実施例によるポンプ及び食洗機を示す図である。
【図１０】本発明の他の実施例によるポンプ及び食洗機を示す図である。
【図１１】本発明の他の実施例によるポンプ及び食洗機を示す図である。
【図１２】本発明の他の実施例によるポンプ及び食洗機を示す図である。
【発明を実施するための形態】
【００５１】
以下、添付図面に例が示されている本発明の好適な実施例を詳細に参照する。
【００５２】
他に定義しない限り、この明細書に開示する全ての用語は本発明が属する技術分野の通常の技術者が理解する一般的な用語に相当する。この明細書に開示された用語が一般的な用語と矛盾する場合、その用語はこの明細書で使用された意味に基づいて理解される。
【００５３】
以下に説明する装置の構成及び制御方法はただ例示の目的で提供するものであり、本発明の保護範囲はそれに制限されないことに留意しなければならない。可能な限り、同一参照符号は図面全般にわたって同一乃至類似の部分を指示するのに使われるであろう。
【００５４】
本発明は、洗浄水を移動させる機能と洗浄水を加熱する機能を同時に遂行可能なポンプ８及び前記ポンプを備えた装置に関する。図１は本発明によるポンプ８が食洗機に備えられた場合を一例として示す図である。
【００５５】
本発明によるポンプ８は、食洗機以外に多様な機器に備えられることができるが、以下では説明の便宜のために、前記ポンプ８が食洗機１００に備えられた場合を基準として説明する。
【００５６】
図１に示したように、食洗機１００は、キャビネット１、キャビネット１の内部に備えられ、洗浄空間を規定するタブ１１、洗浄対象に洗浄水を噴射する噴射アーム３、５、及び前記噴射アーム３、５に洗浄水を供給するポンプ８を含むことができる。
【００５７】
前記タブ１１の内部には洗浄対象を収納するラック（ｒａｃｋ）を備えることができる。前記ラックは、タブの上部領域に備えられる上部ラック１９１、及び前記上部ラックの下側に備えられる下部ラック１９３を含むことができる。
【００５８】
前記タブ１１はキャビネットの一面に備えられたドア１６によって開閉されるので、使用者は前記ドア１６でタブ１１を開放した後、前記ラック１９１、１９３を前記タブ１１から引き出すことができる。
【００５９】
前記ラックが上部ラック１９１及び下部ラック１９３を含む場合、前記噴射アーム３，５は、上部ラック１９１に洗浄水を噴射する上部アーム３、及び下部ラック１９３に洗浄水を噴射する下部アーム５を含むことができる。
【００６０】
前記噴射アーム３、５から洗浄対象に噴射された洗浄水（タブに残留する洗浄水）はサンプ１３に回収できる。
【００６１】
前記サンプ１３はタブ１１の下部に備えられて洗浄水を貯蔵する手段であって、サンプカバー１５によってタブ１１から区画できる。この場合、前記サンプカバー１５には、前記タブ１１の内部をサンプ１３の内部と連通させる回収ホール１５１が備えられることができる。
【００６２】
一方、前記サンプ１３は給水流路１３５を介して給水源（図示せず）に連結される。前記給水流路１３５は制御部（図示せず）によって制御される給水バルブ１３６によって開閉できる。
【００６３】
前記サンプ１３に貯蔵された洗浄水は排水流路１３７及び排水ポンプ１３９を通じて食洗機の外部に排出される。
【００６４】
前記サンプ１３に貯蔵された洗浄水は、ポンプ８及び供給流路７を通じて前記噴射アーム３、５に供給される。前記供給流路７は、前記ポンプ８に連結された連結流路７７、前記連結流路と上部アーム３を連結する第１供給流路７１、及び前記連結流路と下部アーム５を連結する第２供給流路７３を含むことができる。
【００６５】
前記上部アーム３は第１供給流路７１に回転可能に結合できる。前記下部アーム５は第２供給流路７３に回転可能に結合できる。
【００６６】
前記第１供給流路７１と第２供給流路７３は連結流路７７分岐される。この場合、第１供給流路７１と第２供給流路７３の分岐点には、各供給流路の開閉を制御する転換バルブ７５が備えられることができる。
【００６７】
前記ポンプ８は、キャビネット１の内部に固定されるボディー８２、前記ボディー８２の内部空間を区画して前記ボディー８２の内部に第１チャンバーＣ１と第２チャンバーＣ２をなす隔壁８４、前記隔壁８４に備えられ、第１チャンバーＣ１と第２チャンバーＣ２を連通させる連通ホール８６、前記サンプ１３と第１チャンバーＣ１を連結する流入部８４１、前記第２チャンバーＣ２と連結流路７７を連結する排出部８４９、前記第２チャンバーの内部に備えられるインペラー８５、及び前記第１チャンバーの底面に備えられるヒーターアセンブリーＨを含むことができる。
【００６８】
図２に示したように、前記ボディー８２は上面と下面が開放した円筒状に形成できる。ボディーの上部に備えられた開放面（第２チャンバーＣ２の上面）８２１にはカバー８２３が備えられ、ボディーの下部に備えられた開放面（第１チャンバーＣ１の底面）８２５にはヒーターアセンブリーＨが着脱可能に結合される。
【００６９】
前記ヒーターアセンブリーＨは前記第１チャンバーＣ１の底面を形成するので、本発明は洗浄水加熱機能と洗浄水循環機能を同時に遂行可能なポンプ８を提供することができる。さらに、前記ヒーターアセンブリーＨは前記ポンプ８の外部で前記ボディー８２に着脱可能なので、本発明はヒーターアセンブリーＨの組立及び分解が容易なポンプ８を提供することができる。
【００７０】
前記インペラー８５は連通ホール８６を通じて第１チャンバーＣ１から第２チャンバーＣ２に流入した洗浄水を前記排出部８４９に移動させる手段であって、ボディー８２の外部に備えられた駆動部８７によって回転することができる。
【００７１】
前記駆動部８７はカバー８２３に固定されるモーター８７１を含むことができる。モーター８７１の回転軸８７３は前記カバー８２３を貫いて前記インペラー８５に固定できる。
【００７２】
図３に示したように、前記ヒーターアセンブリーＨは、第１チャンバーＣ１の底面をなすハウジング８１、及び前記第１チャンバーＣ１の外部に位置し、前記ハウジング８１を加熱するヒーター８３を含むことができる。よって、前記ヒーター８３、前記ハウジング８１、前記第１チャンバーＣ１及び前記第２チャンバーＣ２は前記ボディー８２の高さ方向に順次積層されて互いに垂直配置関係をなす。
【００７３】
前記ヒーター８３によって供給される熱エネルギーを前記第１チャンバーＣ１内部の洗浄水に効果的に供給するために、前記ハウジング８１は金属のような導体でなることができる。
【００７４】
前記ハウジング８１は、前記ヒーター８３を前記第１チャンバーＣ１の外部に位置させる収容溝８１１、及び前記ハウジング８１をボディー８２に固定させる締結部８１２を含むことができる。
【００７５】
前記収容溝８１１は洗浄水と熱交換するハウジング８１の表面積を極大化することができる形状に形成されることができる。図３は前記収容溝８１１が第１チャンバーＣ１の内部に向かって突出した場合を一例として示す。
【００７６】
前記収容溝８１１に挿入されたヒーター８３が収容溝８１１の外部に露出することを防止するために、本発明は前記ハウジング８１に固定されるヒーターカバー８１５をさらに含むことができる。
【００７７】
前記ヒーターカバー８１５は、ヒーター８３から洗浄水や異物が供給されることを遮断するだけでなくポンプ８の周辺に位置する食洗機の部品がヒーター８３に直接接触することを防止する。
【００７８】
前記締結部８１２は、前記収容溝８１１の周縁から前記収容溝８１１から遠くなる方向に向かって伸びる第１延長部８１２１、及び前記第１延長部８１２１を前記下部開放面８２５に結合させる第２延長部８１２３を含むことができる。
【００７９】
前記第２延長部８１２３は前記第１延長部８１２１が折り曲げられることで形成できる。この場合、前記第１延長部８１２１は前記下部開放面８２５が備えられたボディー８２の一端を支持し、前記第２延長部８１２３は前記ボディー８２の円周面を収容することができる。
【００８０】
前記ボディー８２の円周面には前記ボディー８２から突出した支持部８２７が備えられることができる。この場合、前記締結部８１２は前記第２延長部８１２３を前記支持部８２７に結合する第３延長部８１２５をさらに含むことができる。
【００８１】
前記第３延長部８１２５は前記第２延長部８１２３の自由端に備えられ、互いに所定間隔８１２７で隔たって備えられる。
【００８２】
前述したように、前記ハウジング８１はボディー８２の底面（第１チャンバーの底面）をなす手段であるため、第１チャンバーＣ１の内部の洗浄水が前記締結部８１２を通じて漏水する可能性がある。よって、第１チャンバーＣ１から排出された洗浄水が前記ヒーター８３に移動することを防止する必要がある。このために、前記ハウジング８１にはフランジ８１７がさらに備えられることができる。
【００８３】
前記フランジ８１７は、上述した機能を具現することができる限り、ハウジング８１のどこにでも備えられることができる。図３は前記フランジ８１７が前記第１延長部８１２１に備えられた場合を一例として示す。
【００８４】
図３に示したフランジ８１７は第１延長部８１２１の縁部からキャビネット１の底面に向かって突出して前記収容溝８１１の周りを取り囲むことが特徴である。よって、第２延長部８１２３の表面に残留する洗浄水は前記フランジ８１７を通じてヒーター８３から遠くなる方向に移動する。したがって、本発明は、第１チャンバーＣ１の洗浄水が締結部８１２を通じて漏出しても前記ヒーター８３に洗浄水が移動することを防止することができる。
【００８５】
前記ヒーター８３は、電流が供給されれば熱エネルギーを発生するヒーターボディー８３１、及び前記ヒーターボディーに電流を供給する第１端子８３３及び第２端子８３５を含むことができる。前記第１端子８３３及び第２端子８３５は収容溝８１１の外部に露出することができ、前記ヒーターボディー８３１はヒーターカバー８１５によって収容溝の外部に露出しないように構成されることができる。
【００８６】
ヒーター８３は第１チャンバーＣ１の外部に位置するので洗浄水に接触しない。よって、本発明は、ヒーター８３の表面に異物が付着して洗浄水とヒーターの間の熱交換効率が低下する問題又はヒーターの表面が腐食する耐久性低下のような問題を防止することができる。
【００８７】
前記ヒーターアセンブリーＨとボディー８２の組立を容易にするために、前記ポンプ８には位置決め部８９がさらに備えられることができる。前記位置決め部８９は、ボディーの支持部８２７に備えられる突起８９１、及び前記第２延長部８１２３に備えられ、前記突起を収容する突起収容溝８９３を含むことができる。
【００８８】
前記突起８９１は前記ボディー８２の高さ方向に形成されることができ、前記突起収容溝８９３は一第３延長部と他の第３延長部の間の間隔８１２７と同一の幅を有するように形成できる。
【００８９】
ただ、前記ヒーターアセンブリーＨの組立方向を一定に維持する必要がある場合（例えば、ヒーターに備えられた二つの端子８３３、８３５がサンプ１３に向かわないようにする必要がある場合）、前記突起収容溝８９３は第３延長部８１２５の間の間隔８１２７とは違う幅を有することができる。図３は前記突起収容溝８９３の幅が前記第３延長部の間の間隔８１２７より大きな場合を一例として示す。
【００９０】
上述した構造を有するヒーターアセンブリーＨは、前記ハウジング８１が第１チャンバーＣ１の底面をなすため、ヒーター８３が作動しているうちに（ヒーターに電流が供給されるうちに）インペラー８５を回転させれば、温水（加熱された洗浄水）を噴射アーム３、５に供給することができる。
【００９１】
この場合、ヒーター８３が第１チャンバーＣ１の底面をなすハウジング８１を加熱するので、第１チャンバーＣ１の内部水位を調節しなくてもヒーターが過熱することを防止するだけではなくスチーム又は温水の生産のために供給されなければならない洗浄水の量も最小化することができる。
【００９２】
このような効果は前記ヒーターアセンブリーＨのハウジング８１がキャビネット１の底面に平行な平面をなすように形成される場合に極大化することができる。すなわち、前記ハウジング８１がボディー８２に固定されて水平面を形成すれば、上述した効果は極大化することができる。
【００９３】
第１チャンバーＣ１の底面にヒーターアセンブリーＨが備えられるので、前記第１チャンバーＣ１に一定量の洗浄水を供給した後にヒーター８３のみ作動させると、前記ポンプ８はスチーム発生器の機能も遂行することができる。
【００９４】
前記ポンプ８がスチームを発生させる機能も遂行するためには、前記ポンプ８には第１チャンバーＣ１の内部で発生したスチームを第１チャンバーＣ１の外部に排出させるスチーム排出口８４３がさらに備えられなければならない。
【００９５】
図１に示したように、前記スチーム排出口８４３はスチーム供給部６を介してタブ１１と連通することができる。前記スチーム供給部６は、タブ１１に固定されたノズル６１、及び前記ノズル６１とスチーム排出口８４３を連結する供給管６３を含むことができる。前記スチーム排出口８４３は隔壁８４よりは低くて流入部８４１よりは高い位置に備えられることができる。
【００９６】
一方、前記第１チャンバーＣ１にスチーム排出口８４３が備えられる場合、スチーム排出口８４３及び供給管６３の少なくとも一方には第１チャンバーＣ１に外気が流入することを防止するバルブ８４４がさらに備えられることができる。
【００９７】
前記スチーム排出口８４３を通じて第１チャンバーＣ１に外気が流入すれば、噴射アーム３、５から噴射される洗浄水の水圧が低くなるか噴射アームに洗浄水を供給することができない問題が発生し得る。スチーム排出口８４３にバルブ８４４がなければ、インペラー８５の回転時に第１チャンバーＣ１に空気が流入し得るからである。
【００９８】
前記バルブ８４４は前記第１チャンバーＣ１の内部流体を第１チャンバーＣ１の外部に排出させるが外部の流体が前記第１チャンバーＣ１に流入することは遮断するように構成できる。すなわち、前記バルブ８４４は前記第１チャンバーＣ１の内部圧力が既設定の基準圧力以上の場合にのみ前記スチーム排出口８４３（又はスチーム供給部）を開放するチェックバルブであってもよい。
【００９９】
ただ、上述した構造を有するポンプ８は、第１チャンバーＣ１の内部のスチームが供給管６３を通じてタブ１１に供給されることもできるが、第１チャンバーＣ１と連通する噴射アーム３、５及び回収ホール１５１を通じてタブ１１に供給されることもできる。
【０１００】
第１チャンバーＣ１の内部のスチームがスチーム供給部６及び供給流路７を介してポンプ８に連結された噴射アーム３、５、及びサンプ１３を介してポンプ８に連結された回収ホール１５１を通じてタブに供給される特徴は、多数の地点でスチームを噴射することによってスチームをタブ１１の内部に均一に供給することができるという側面で有利であり得るが、スチームが移動する流路が長くなれば、スチームが流路に沿って移動しているうちに凝結する可能性が高くて所要量のスチームをタブに供給することができない問題が発生し得る。
【０１０１】
上述した問題点を解決するために、第１チャンバーＣ１内のスチームの大部分が前記供給管６３を通じてタブ１１に供給されるようにポンプ８を設計する必要がある。第１チャンバーＣ１内のスチームの大部分が供給管６３を通じてタブ１１に供給されるように、本発明によるポンプ８は前記隔壁８４にガイドをさらに備えることができる。
【０１０２】
図４〜図６は前記ガイド８８の一例を示す図である。
【０１０３】
図４に示したように、前記ガイド８８はその自由端がハウジング８１に接触しないように前記隔壁８４からハウジング８１に向かって突出する。
【０１０４】
前記ガイド８８は、前記第１チャンバーＣ１の内部水位によって、前記第１チャンバーＣ１の内部空間を前記スチーム排出口８４３が位置する第１領域、及び前記スチーム排出口８４３が位置しない第２領域に分割する。
【０１０５】
すなわち、図５に示したように、前記第１チャンバーＣ１の内部水位がガイド８８の自由端より高くなれば、第１チャンバーＣ１の内部空間は前記ガイド８８によって第１領域Ｃ１１及び第２領域Ｃ１３に区画される。
【０１０６】
スチーム排出口８４３を通じて第１チャンバーＣ１の外部に排出されるスチームの量がスチーム排出口８４３以外の流路を通じて第１チャンバーＣ１の外部に排出されるスチームの量より多くするためには、第１領域Ｃ１１の容積は図６に示したように第２領域Ｃ１３の容積より大きく設定される。
【０１０７】
この場合、前記ヒーター８３は前記第１領域Ｃ１１に位置するヒーターの長さが第２領域Ｃ１３の下部に位置するヒーターの長さより長くなるように前記ハウジング８１に固定できる。すなわち、前記ヒーター８３は、前記第１端子８３３及び第２端子８３５が、第２領域Ｃ１３がハウジング８１に投影された領域に位置するように、収容溝８１１に固定できる。
【０１０８】
一方、前記第１領域Ｃ１１の容積と第２領域Ｃ１３の容積を同等に設定する場合、前記ヒーター８３は、第１領域Ｃ１１に位置する洗浄水を加熱する部分の発熱量が前記第２領域Ｃ１３に位置する洗浄水を加熱する部分の発熱量より大きくなるように構成できる。
【０１０９】
位置によって発熱量が違うヒーター８３は多様に具現できる。例えば、第１領域Ｃ１１に位置する洗浄水を加熱するように備えられたヒーターの長さが前記第２領域Ｃ１３に位置する洗浄水を加熱するように備えられたヒーターの長さより長い。
【０１１０】
また、第１領域Ｃ１１の下部に位置するヒーター８３の断面積を第２領域Ｃ１３の下部に位置するヒーター８３の断面積より大きくすることも、位置によって発熱量が違うヒーター８３を具現する一例となることができる。
【０１１１】
図６に示したように、前記ガイド８８は、前記第１領域Ｃ１１に位置し、前記連通ホール８６の外周面の一部を取り囲むベース８８４、前記第１領域Ｃ１１と前記第２領域Ｃ１３を区画するように前記ベース８８４の一端と前記第１チャンバーＣ１の内周面を連結する第１プレート８８１、及び前記第１領域と前記第２領域を区画するように前記ベース８８４の他端と前記第１チャンバーＣ１の内周面を連結する第２プレート８８３を含むことができる。
【０１１２】
この場合、前記ベース８８４の自由端、第１プレート８８１の自由端、及び前記第２プレート８８３の自由端はハウジング８１に接触しないように隔壁８４から突設できる。その結果、第１チャンバーＣ１の内部水位がガイド８８の自由端より高くなった場合にのみ、前記ガイド８８が第１チャンバーＣ１の内部を第１領域と第２領域に区画することができる。前記第１プレート８８１と第２プレート８８３は第１領域Ｃ１１の容積が第２領域Ｃ１３の容積より大きくなるように第１チャンバーＣ１の内部を区画することができる。
【０１１３】
第１チャンバーＣ１に洗浄水が供給されれば、上述したガイド８８は前記第１チャンバーＣ１を第１領域Ｃ１１と第２領域Ｃ１３に区画する。このような状態で前記ヒーター８３が作動すれば、スチームは第１領域Ｃ１１及び第２領域Ｃ１３の両方で発生する。しかし、第１領域Ｃ１１の容積が第２領域Ｃ１３の容積より大きいため、前記第１チャンバーＣ１の内部のスチームは殆どがスチーム排出口８４３を通じてタブ１１に供給される。
【０１１４】
一方、上述した効果は、第１領域Ｃ１１を加熱するヒーターの発熱量が第２領域Ｃ１３を加熱するヒーターの発熱量より大きい場合、第１領域Ｃ１１の容積と第２領域Ｃ１３の容積が同一であっても期待することができる。
【０１１５】
上述したガイド８８はスチーム排出口８４３を通じて第１チャンバーＣ１の内部のスチームの大部分をタブ１１に移動させるという点で有用であるが、前記ガイドのベース８８４は第１領域Ｃ１１の流路抵抗を第２領域Ｃ１３の流路抵抗より高くする問題が発生し得る。
【０１１６】
すなわち、上述した流路抵抗の不均衡のため、前記第１領域Ｃ１１を通過してから連通ホール８６に移動する洗浄水の量より第２領域Ｃ１３のみを経てから連通ホール８６に移動する洗浄水の量が多くなる問題が発生し得る。
【０１１７】
前記第１領域Ｃ１１を通過してから連通ホール８６に移動する洗浄水の量より第２領域Ｃ１３のみを通過してから連通ホール８６に移動する洗浄水の量より多ければ、洗浄水を迅速に加熱することができない問題が発生し得る。このため、前記流入部８４１は第２領域Ｃ１３よりは第１領域Ｃ１１に位置することができる。
【０１１８】
一方、前記流入部８４１を第１領域Ｃ１１に位置させることができなければ、前記ガイド８８は図７の形態に設計できる。
【０１１９】
図７のガイド８８は、第１領域Ｃ１１の流路抵抗を第２領域Ｃ１３の流路抵抗より小さくすることにより、第１チャンバーＣ１に流入する洗浄水の大部分が第１領域Ｃ１１を経てから連通ホール８６に移動するようにすることが特徴である。
【０１２０】
すなわち、この実施例によるガイド８８は、第２領域Ｃ１３に位置し、連通ホール８６の外周面の一部を取り囲む第１ベース８８５、前記第１ベース８８５の一端と前記第１チャンバーＣ１の内周面を連結する第１プレート８８１、及び前記第１ベース８８５の他端と前記第１チャンバーＣ１の内周面を連結する第２プレート８８３を含むことができる。
【０１２１】
図８を参照すると、上述した構造のガイド８８は第２領域Ｃ１３に第１ベース８８５が位置する構造を有するように構成されるため、第２領域Ｃ１３の流路抵抗が第１領域Ｃ１１の流路抵抗より大きい。その結果、第２領域Ｃ１３に流入部８４１が備えられていても、第１チャンバーＣ１に流入する洗浄水の大部分は前記第１領域Ｃ１１を経てから連通ホール８６に移動する。したがって、本発明によると、このようなガイド８８によってヒーターと洗浄水の熱交換が容易なポンプを構成することができる。
【０１２２】
また、前記第２領域Ｃ１３に流入した洗浄水が第１領域Ｃ１１に容易に移動するように、第１プレート８８１には第１連通部８８１ａが備えられ、第２プレート８８３には第２連通部８８３ａが備えられることができる。
【０１２３】
前記第１連通部８８１ａは第１プレートの自由端を隔壁８４に向かって窪むように折り曲げることで形成でき、前記第２連通部８８３ａは第２プレートの自由端を隔壁８４に向かって窪むように折り曲げることで形成できる。したがって、隔壁８４から第１連通部８８１ａの自由端までの長さは隔壁８４から第１プレート８８１の自由端までの長さより短く、隔壁８４から第２連通部８８３ａの自由端までの長さは隔壁８４から第２プレート８８３の自由端までの長さより短くなることができる。
【０１２４】
しかし、上述したものとは違い、前記第１連通部８８１ａと第２連通部８８３ａは各プレート８８１、８８３にそれぞれ形成された孔を備えることもできる。
【０１２５】
一方、この実施例によるガイド８８は、第１領域Ｃ１１に位置し、前記第１ベース８８４の一端と前記第１ベース８８４の他端を連結する第２ベース８８７をさらに含むことができる。
【０１２６】
この場合、前記第２ベース８８７は前記連通ホール８６の外周面を取り囲むように備えられることができ、前記隔壁８４から前記第２ベース８８７の自由端までの距離（Ｌ２）は前記隔壁８４から第１ベース８８５の自由端までの距離（Ｌ１）より短くてもよい。
【０１２７】
図９及び図１０は本発明の他の実施例を示す図である。この実施例による食洗機は、外形をなすキャビネット１、前記キャビネット１の内部に配置され、食器を収納するラック１９１、１９３、前記キャビネット１の内部に配置され、前記食器に向けて洗浄水を噴射する噴射アーム３、３１、５、前記キャビネット１の内部に配置され、前記噴射アーム３、３１、５に洗浄水を供給するサンプ１３、前記サンプ１３又は噴射アームに洗浄水を供給する給水流路１３５、前記サンプ１３の内部の洗浄水を外部に排出させる排水流路１３７、前記サンプ１３に設けられ、洗浄水を濾過するフィルター１５３、及び前記サンプ１３に設けられ、洗浄水を加熱するヒーターアセンブリーＨを含む。
【０１２８】
前記キャビネット１の内部には洗浄空間をなすタブ１１が備えられ、前記タブ１１はドア１６によって開閉される。
【０１２９】
前記ラックは前記タブ１１の内部に取り付けられる。前記ラックは、上部ラック１９１と下部ラック１９３を含むことができる。
【０１３０】
前記噴射アーム３、３１、５は前記食器に向けて洗浄水を噴射する。洗浄水は供給流路を通じて噴射アーム３、３１、５に供給される。
【０１３１】
この実施例において、前記噴射アーム３、３１、５は、下部ラック１９３に洗浄水を噴射する下部アーム５、前記上部ラック１９１の下部に位置し、上部ラック１９１に洗浄水を噴射する上部アーム３、及び上部ラック１９１の上部に位置し、洗浄水を噴射する第２上部アーム３１を含む。
【０１３２】
前記供給流路は、下部アーム５に洗浄水を供給する第１供給流路７１、上部アーム３に洗浄水を供給する第２供給流路７３、第２上部アーム３１に洗浄水を供給する第３供給流路７８、及び前記各供給流路７１、７３、７８を開閉する転換バルブ７５を含むことができる。
【０１３３】
図９は前記噴射アーム３、３１、５が前記サンプ１３から洗浄水を供給される場合を示すが、図面とは違い、各噴射アーム３、３１、５は給水流路１３５を通じて直接洗浄水を供給されることもできる。
【０１３４】
前記給水流路１３５は前記サンプ１３に洗浄水を供給するように備えられるものである。この実施例において、洗浄水は前記フィルター１５３を通じて前記サンプ１３に供給される。
【０１３５】
前記排水流路１３７は前記サンプ１３に貯蔵された洗浄水を外部に排出させるために設けられる。前記排水流路１３７には排水ポンプ１３９が備えられる。
【０１３６】
前記フィルター１５３は洗浄水から異物を濾過する。前記フィルター１５３はタブ１１からサンプ１３に流入する洗浄水の流動経路に配置される。
【０１３７】
このために、サンプ１３には、前記フィルター１５３が設置されるフィルター装着部１３１が形成できる。この場合、前記フィルター装着部１３１はフィルター流路１３２を介してサンプ１３に連結できる。
【０１３８】
前記サンプ１３は、内部に洗浄水を収容する第１チャンバーＣ１、及び前記噴射アーム３、３１、５に洗浄水を供給するために第１チャンバーＣ１に収容された洗浄水を転換バルブ７５に移動させるように構成されたポンプ８を含む。
【０１３９】
前記ポンプ８はモーター８７１及び前記モーター８７１によって回転するインペラー８５を含む。前記インペラー８６の回転時、第１チャンバーＣ１に収容された洗浄水はインペラー８６を備えた第２チャンバーＣ２に流入した後、連結流路７７を通じて前記噴射アーム３、３１、５に供給される。
【０１４０】
一方、前記第１チャンバーＣ１は供給管６３及びノズル６１を介して前記タブ１１と連通するので、前記ヒーターアセンブリーＨによって生成されたスチームは前記供給管６３及びノズル６１を通じてタブ１１の内部に供給される。
【０１４１】
前記第１チャンバーＣ１内で生成されたスチームは前記ノズル６１ではない前記フィルター流路１３２及びフィルター装着部１３１を通じて前記タブ１１に供給できる。すなわち、前記サンプ１３は供給管６３及びフィルター流路１３２を介して前記タブ１１と連結される。
【０１４２】
図１１及び図１２に示したように、前記ヒーターアセンブリーＨは、前記サンプ１３の外部に取り付けられ、前記第１チャンバーＣ１の内部に収容された洗浄水を加熱するハウジング８１、前記ハウジング８１を加熱するように前記サンプ１３の外部に位置するヒーター８３、及び前記ヒーター８３の温度によって、前記ヒーター８３に印加される電源を制御する温度調節モジュールを含む。
【０１４３】
前記ハウジング８１は前記サンプ１３底面に密着して設置され、その上側に配置された前記第１チャンバーＣ１に熱を伝達する。そして、前記ハウジング８１は前記サンプ１３の形状によって多様に形成されることができる。例えば、前記ハウジング８１は前記第１チャンバーＣ１の全体にわたって均一に熱を伝達するために大きな面積を有することができる。
【０１４４】
前記ハウジング８１は熱伝導度の高いアルミニウム又は銅などの素材で形成されることができる。前記ハウジング８１には前記ヒーター８３が内部に挿入される収容溝８１１が備えられることができる。
【０１４５】
前記ヒーター８３はリング形に形成され、前記収容溝８１１は前記ヒーター８３の形状に対応する形状に形成されることができる。
【０１４６】
前記温度調節モジュールは、前記ヒーター８３から伝達される熱によって電力を調節するように構成された温度ヒューズ９４、及び前記温度ヒューズ９４及びヒーター８３を連結するワイヤ９５を含む。
【０１４７】
ここで、前記温度調節モジュールは、前記温度ヒューズ９４の容易な設置のために、サーマルブリッジ（ｔｈｅｒｍａｌ ｂｒｉｄｇｅ）９６及びヒーターカバー８１５をさらに含むことができる。前記サーマルブリッジ９６は前記ヒーター８３と温度ヒューズ９４の間に配置され、前記ヒーター８３の熱を前記温度ヒューズ９４に伝達する。
【０１４８】
前記ヒーターカバー８１５はハウジング８１に組み立てられ、収容溝８１１の内部に収容されたヒーター８３が外部に露出することを最小化する。
【０１４９】
この実施例において、熱は前記サーマルブリッジ９６を通じて前記温度ヒューズ９４に伝達される。もう一つの方法として、温度ヒューズ９４はヒーター８３からの熱が直接温度ヒューズ９４に伝達されるようにヒーター８３と直接接触することができる。この実施例において、ヒーターアセンブリーＨはサンプ１３の外部に露出するため、故障時にヒーターアッセンブリーＨを易しく入れ替えることができる。
【０１５０】
前述した説明から明らかなように、本発明は、洗浄水を加熱する機能と洗浄水を循環させる機能を同時に遂行することができるポンプ及びそのポンプを備えた食洗機を提供する効果を有する。
【０１５１】
また、本発明は、ヒーターと洗浄水の間の熱交換が容易な構造を有するように構成されたポンプ及びそのポンプを備えた食洗機を提供する効果を有する。
【０１５２】
また、本発明は、洗浄水の水位調節なしにもヒーターの過熱を防止することができるポンプ及びそのポンプを備えた食洗機を提供する効果を有する。
【０１５３】
また、本発明は、温水やスチームを発生させるために供給される洗浄水の量を最少化することができるポンプ及びそのポンプを備えた食洗機を提供する効果を有する。
【０１５４】
また、本発明は、洗浄水を加熱するヒーターの効率低下及び耐久性低下を防止することができるポンプ及びそのポンプを備えた食洗機を提供する効果を有する。
【０１５５】
また、本発明は、着脱可能なヒーターを備えたポンプ及びそのポンプを備えた食洗機を提供する効果を有する。
【０１５６】
本発明の精神又は範囲を逸脱せずに本発明の多様な修正及び変形が可能であるのは当業者に明らかであろう。したがって、本発明は添付の請求範囲及びその等価物の範囲内に属する本発明の修正及び変形をカバーするものである。
【図１】
0006336679.tif 000002
【図２】
0006336679.tif 000003
【図３】
0006336679.tif 000004
【図４】
0006336679.tif 000005
【図５】
0006336679.tif 000006
【図６】
0006336679.tif 000007
【図７】
0006336679.tif 000008
【図８】
0006336679.tif 000009
【図９】
0006336679.tif 000010
【図１０】
0006336679.tif 000011
【図１１】
0006336679.tif 000012
【図１２】
0006336679.tif 000013